(57)【要約】【課題】  フィルタの厚みのバラツキや材質等に左右されることなく、袋本体を確実に引き裂くことが可能な菌床栽培用袋を提供する。【解決手段】  菌床栽培用袋１は、上端が開口し、縦方向の引張強度が横方向の引張強度よりも大きい分子配向となるように形成されたプラスチックフィルムからなる縦長の袋本体２と、袋本体２の上部に形成された通気孔３と、通気孔３を覆った状態で袋本体２に溶着された、空気を通過させ雑菌の侵入を阻止するフィルタ４と、フィルタ４が溶着された袋本体２上の位置とは異なる位置で袋本体２に溶着された、袋本体２を破断し引き裂くための破断用つまみ５と、を備えている。破断用つまみ５を袋本体２に溶着する溶着部９は、引裂き開始側（袋本体２の上端開口部側）を上とする山型に形成されている。【選択図】  図１
2015008690.tif 000002
【特許請求の範囲】
【請求項１】
上端が開口し、縦方向の引張強度が横方向の引張強度よりも大きい分子配向となるように形成されたプラスチックフィルムからなる袋本体と、
前記袋本体の上部に形成された通気孔と、
前記通気孔を覆った状態で前記袋本体に溶着された、空気を通過させ雑菌の侵入を阻止するフィルタと、
前記フィルタが溶着された前記袋本体上の位置とは異なる位置で前記袋本体に溶着された、前記袋本体を破断し引き裂くための破断用つまみと、を備えた菌床栽培用袋。
【請求項２】
前記破断用つまみを前記袋本体に溶着する溶着部は、引裂き開始側を上とする山型に形成されている、請求項１に記載の菌床栽培用袋。
【発明の詳細な説明】
【技術分野】
【０００１】
本発明は、シイタケやマイタケ等のキノコを人工栽培する際に用いられる菌床栽培用袋に関する。
【背景技術】
【０００２】
近年、キノコを人工栽培する際に、プラスチックフィルムからなる菌床栽培用袋が多く用いられるようになってきた。
【０００３】
この種の菌床栽培用袋を用いてキノコを人工栽培するに際しては、まず、オガクズ等の木質基材に米糠等の栄養源を混ぜて水分を調整した人工の培地（菌床）を、当該菌床栽培用袋に充填して、高圧蒸気等により殺菌し、その後、前記菌床にキノコ種菌を接種して培養を行う（培養工程）。
【０００４】
この場合、菌床栽培用袋は、使い捨てされるものであるため、安価であることが必要であり、できるだけ簡単な構成で製造されることが望ましい。
【０００５】
また、菌床栽培用袋を用いてキノコ種菌を培養する際には、菌の生育に必要な空気を供給し、雑菌の侵入を阻止する必要がある。
【０００６】
さらに、菌床栽培用袋を用いたキノコの人工栽培においては、培養工程の後に、菌床を前記菌床栽培用袋から取り出してキノコを発生させる工程（キノコ（子実体）の発生工程）が必要である。しかし、菌床を菌床栽培用袋から取り出す際に、当該菌床栽培用袋を刃物を用いて切断すると、菌床等を傷つけてしまう危険性がある。従って、菌床栽培用袋としては、菌床等を傷つけてしまわないように手の力のみで引き裂くことができるものであることが望ましい。
【０００７】
従来、以上のような要求を満足する菌床栽培用袋として、以下のような構成のものが提案されている（例えば、特許文献１参照）。
【０００８】
図１５に示すように、特許文献１に開示された菌床栽培用袋１００は、上端が開口し、縦方向の引張強度が横方向の引張強度よりも大きい分子配向となるように形成されたプラスチックフィルムからなる袋本体１０１と、袋本体１０１の上部に形成された通気孔１０２と、通気孔１０２を覆った状態で袋本体１０１に溶着された、空気を通過させ雑菌の侵入を阻止するフィルタ１０３と、を備えている。また、フィルタ１０３を袋本体１０１に溶着する溶着部１０４の最上部には、フィルタ１０３を袋本体１０１の下端部に向けて引き剥がす際に発生する引き剥がし応力を集中させるための応力集中部１０５が設けられている。
【０００９】
特許文献１に開示された菌床栽培用袋１００によれば、図１５、図１６に示すように、フィルタ１０３の上側端部をつまんで袋本体１０１の下端部に向けて引き剥がす操作を行うことにより、応力集中部１０５に引き剥がし応力を集中させて袋本体１０１に切込みを入れることができる。そして、このようにして袋本体１０１に切込みが入った後、フィルタ１０３を袋本体１０１の下端部に向けてそのまま引っ張れば、袋本体１０１を引き裂くことができる。この場合、袋本体１０１は、溶着部１０４のほぼ幅部分（二点鎖線部分）のみが他の部分から引き剥がされる。尚、図１６において、参照符号１０６は、引き剥がされた部分を示している。
【先行技術文献】
【特許文献】
【００１０】
【特許文献１】特許第４２１７２５６号公報
【発明の概要】
【発明が解決しようとする課題】
【００１１】
しかし、フィルタ１０３の厚みにはバラツキがあるため、特許文献１で提案されている菌床栽培用袋１００の構成では、袋本体１０１を引き裂く際にフィルタ１０３のみが破れてしまう菌床栽培用袋がユーザに供給されてしまう虞がある。すなわち、フィルタ１０３のうち、溶着部１０４の外側部分（外周部分、縁部分）のみが取れて、溶着部１０４の内側部分が残ってしまい、袋本体１０１を引き裂くことができない菌床栽培用袋がユーザに供給されてしまう虞がある。
【００１２】
また、フィルタ１０３の種類には、目の粗いものから目の細かいものまであり、培養するキノコ種菌の種類によって使い分けられている。しかし、目の粗いフィルタ１０３を用いて、特許文献１で提案されている菌床栽培用袋１００を製造した場合には、溶着部１０４の強度が弱くなり、袋本体１０１を引き裂く際にフィルタ１０３が取れて、袋本体１０１を引き裂くことができない菌床栽培用袋がユーザに供給されてしまう虞がある。すなわち、目の粗いフィルタ１０３が溶着された菌床栽培用袋を使用したいユーザもいるが、特許文献１で提案されている菌床栽培用袋１００の構成では、フィルタ１０３の種類によって、袋本体１０１の引き裂き加減が変わってしまうという問題点がある。
【００１３】
本発明は、従来技術における前記課題を解決するためになされたものであり、フィルタの厚みのバラツキや材質等に左右されることなく、袋本体を確実に引き裂くことが可能な菌床栽培用袋を提供することを目的とする。
【課題を解決するための手段】
【００１４】
前記目的を達成するため、本発明に係る菌床栽培用袋の構成は、
（１）上端が開口し、縦方向の引張強度が横方向の引張強度よりも大きい分子配向となるように形成されたプラスチックフィルムからなる袋本体と、前記袋本体の上部に形成された通気孔と、前記通気孔を覆った状態で前記袋本体に溶着された、空気を通過させ雑菌の侵入を阻止するフィルタと、前記フィルタが溶着された前記袋本体上の位置とは異なる位置で前記袋本体に溶着された、前記袋本体を破断し引き裂くための破断用つまみと、を備えたことを特徴とする。
【００１５】
本発明において、縦方向とは、袋本体の上端開口部から下端部に向かう方向（及び、その逆方向）をいうものとする。
【００１６】
本発明の菌床栽培用袋の上記（１）の構成において、袋本体は、縦方向の引張強度が横方向の引張強度よりも大きい分子配向となるように形成されたプラスチックフィルムからなっている。すなわち、前記袋本体は、引き裂く「切っ掛け」さえ与えれば縦方向に容易に引き裂くことが可能な分子構造を有している。このため、フィルタが溶着された前記袋本体上の位置とは異なる位置で前記袋本体に溶着された、前記袋本体を破断し引き裂くための破断用つまみを備えた、本発明の菌床栽培用袋の上記（１）の構成によれば、前記破断用つまみをつまんで前記袋本体の縦方向に引き剥がす操作を行うことにより、前記フィルタが溶着された位置とは異なる位置で前記袋本体を破断し、この破断を「切っ掛け」として前記袋本体を容易に引き裂くことができる。すなわち、本発明の菌床栽培用袋の上記（１）の構成によれば、フィルタの厚みのバラツキや材質等に左右されることなく、袋本体を確実に引き裂くことが可能な菌床栽培用袋を提供することができる。従って、本発明の菌床栽培用袋を用いれば、培養工程からキノコ（子実体）の発生工程に移る際に必要な袋本体からの菌床の取り出し作業を、より効率的に行うことが可能となる。尚、引き裂く「切っ掛け」は一度与えれば十分であるため、引き裂く方向に沿って複数の破断用つまみを設けたり、引裂く方向に沿ったテープ状のものを複数の溶着部によって袋本体に溶着したりする必要はない。そして、このように、本発明の菌床栽培用袋は、例えば、矩形状のプラスチックフィルムからなる単一の破断用つまみを袋本体に溶着するだけの簡単な構成であるため、それほどのコストアップを招くことはない。
【００１７】
前記本発明の菌床栽培用袋の構成においては、以下の（２）のような構成にすることが好ましい。
【００１８】
（２）前記破断用つまみを前記袋本体に溶着する溶着部は、引裂き開始側を上とする山型に形成されている。
【００１９】
上記（２）の好ましい構成によれば、破断用つまみをつまんで袋本体の縦方向に引き剥がす操作を行うことにより、前記破断用つまみを前記袋本体に溶着する山型溶着部の頂角部分（応力集中部）に引き剥がし応力を集中させて、前記袋本体を引き裂く「切っ掛け」となる切込みを入れることができる。そして、このようにして前記袋本体に切込みが入った後、前記破断用つまみを前記袋本体の縦方向にそのまま引っ張れば（前記破断用つまみを前記袋本体の引張強度が大きい縦方向に沿って引き剥がすように力をかければ）、前記袋本体を容易に引き裂くことができる。
【発明の効果】
【００２０】
本発明によれば、フィルタの厚みのバラツキや材質等に左右されることなく、袋本体を確実に引き裂くことが可能な菌床栽培用袋を提供することができる。従って、本発明の菌床栽培用袋を用いれば、培養工程からキノコ（子実体）の発生工程に移る際に必要な袋本体からの菌床の取り出し作業を、より効率的に行うことが可能となる。
【図面の簡単な説明】
【００２１】
【図１】図１は、本発明の一実施の形態における菌床栽培用袋の構成を示す正面図である。
【図２】図２は、本発明の一実施の形態における菌床栽培用袋を形成するためのプラスチックフィルムからなる薄肉チューブを示す正面図（通気孔が形成された状態）である。
【図３】図３は、図２に示す薄肉チューブの下端部を溶着によってシールして袋状にした状態を示す正面図である。
【図４】図４は、本発明の一実施の形態における菌床栽培用袋の通気孔をフィルタで覆った状態を示す正面図（フィルタを袋本体に溶着する前）である。
【図５】図５は、本発明の一実施の形態における菌床栽培用袋のフィルタを袋本体に溶着した状態を示す正面図である。
【図６】図６は、本発明の一実施の形態における菌床栽培用袋のフィルタと異なる位置に破断用つまみを配置した状態を示す正面図（破断用つまみを袋本体に溶着する前）である。
【図７】図７は、本発明の一実施の形態における菌床栽培用袋を用いてキノコ種菌を培養している状態を示す斜視図である。
【図８】図８は、本発明の一実施の形態における菌床栽培用袋の袋本体を引き裂いている状態を示す正面図である。
【図９】図９は、本発明の一実施の形態における菌床栽培用袋の破断用つまみ部分の他の構成を示す正面図である。
【図１０】図１０は、本発明の一実施の形態における菌床栽培用袋の破断用つまみ部分のさらなる他の構成を示す正面図である。
【図１１】図１１は、本発明の一実施の形態における菌床栽培用袋の他の構成を示す正面図である。
【図１２】図１２は、本発明の一実施の形態における菌床栽培用袋のさらなる他の構成を示す正面図である。
【図１３】図１３は、本発明の一実施の形態における菌床栽培用袋のさらなる他の構成を示す正面図である。
【図１４】図１４は、本発明の一実施の形態における菌床栽培用袋のさらなる他の構成を示す斜視図である。
【図１５】図１５は、従来技術における菌床栽培用袋の構成を示す正面図である。
【図１６】図１６は、従来技術における菌床栽培用袋の袋本体を引き裂いている状態を示す正面図である。
【発明を実施するための形態】
【００２２】
以下、好適な実施の形態を用いて本発明をさらに具体的に説明する。但し、下記の実施の形態は本発明を具現化した例に過ぎず、本発明はこれに限定されるものではない。
【００２３】
［菌床栽培用袋の構成］
まず、本発明の一実施の形態における菌床栽培用袋の構成について、図１〜図７を参照しながら説明する。
【００２４】
図１は、本発明の一実施の形態における菌床栽培用袋の構成を示す正面図、図２は、当該菌床栽培用袋を形成するためのプラスチックフィルムからなる薄肉チューブを示す正面図（通気孔が形成された状態）、図３は、図２に示す薄肉チューブの下端部を溶着によってシールして袋状にした状態を示す正面図、図４は、当該菌床栽培用袋の通気孔をフィルタで覆った状態を示す正面図（フィルタを袋本体に溶着する前）、図５は、当該菌床栽培用袋のフィルタを袋本体に溶着した状態を示す正面図、図６は、当該菌床栽培用袋のフィルタと異なる位置に破断用つまみを配置した状態を示す正面図（破断用つまみを袋本体に溶着する前）、図７は、当該菌床栽培用袋を用いてキノコ種菌を培養している状態を示す斜視図である。
【００２５】
図１に示すように、本実施の形態の菌床栽培用袋１は、上端が開口した、プラスチックフィルムからなる縦長の袋本体２と、袋本体２の上部に形成された通気孔３と、通気孔３を覆った状態で袋本体２に溶着された、空気を通過させ雑菌の侵入を阻止するフィルタ４と、フィルタ４が溶着された袋本体２上の位置とは異なる位置で袋本体２に溶着された、袋本体２を破断し引き裂くための破断用つまみ５と、を備えている。
【００２６】
図１〜図３に示すように、袋本体２は、インフレーション加工によって形成された薄肉チューブ６の両側部をガセット折りし、下端部を溶着によってシールして袋状としたものである。図１、図３において、参照符号７は、シール部を示している。このような構成の袋本体２は、図７に示すように、オガクズ等の木質基材に米糠等の栄養源を混ぜて水分を調整した人工の培地（菌床１０）を、充填した場合に、菌床１０をほぼ直方体形状に保つことができるため、その後の管理に適している。
【００２７】
袋本体２の材料としては、安価であり高圧蒸気等による殺菌にも耐え得るポリプロピレン、高密度ポリエチレン等のポリオレフィン系材料、あるいは、ポリエステル系材料が好ましい。尚、キノコ種菌の培養状態を観察できるように、袋本体２は、透明又は半透明なものであることが好ましい。
【００２８】
袋本体２は、通常の栽培作業時の取扱いにおいてはピンホール等が発生しない程度（具体的には、縦方向の引張強度が横方向の引張強度の１．３〜１．４倍程度の強度比）の分子配向となるように形成されている。ここで、縦方向とは、袋本体２の上端開口部から下端部（シール部７）に向かう方向（及び、その逆方向）をいう。
【００２９】
袋本体２（プラスティック・フィルム）の厚みは約４０〜６０μｍであり、図１のように畳んだときの袋本体２の縦方向の長さは約４５０ｍｍ、横方向の長さは約２００ｍｍ、ガセット折り幅は約６２ｍｍである。
【００３０】
通気孔３は、直径約４０ｍｍの円形に形成されている。但し、通気孔の形状は、円形に限定されるものではなく、例えば、矩形、多角形、楕円形等、いかなる形状であってもよい。また、通気孔３は、菌床１０を袋本体２に充填したときに、菌床１０の上面よりも上方に位置していればよい（図７参照）。
【００３１】
フィルタ４は、約５５ｍｍ×約６０ｍｍの矩形状に形成されている。但し、フィルタの形状は、矩形状に限定されるものではなく、例えば、五角形などの多角形、円形、楕円形等、いかなる形状であってもよい。尚、フィルタ４は、雑菌の侵入を完全に阻止しなくても、キノコ種菌の菌糸の発育に悪影響を及ぼさない程度に阻止できればよい。そして、フィルタ４は、高圧蒸気等による殺菌に耐え、袋本体２の材料と気密に溶着されるものであればよく、例えば、市販されている多孔性プラスチックフィルタ、不織布フィルタ等を使用することができる。
【００３２】
図１及び図３〜図５に示すように、フィルタ４は、通気孔３を覆った状態で配置された後、袋本体２に溶着される。図１、図５において、参照符号８は、溶着部を示している。フィルタ４を配置する位置は、袋本体２の上部、好ましくは、雑菌の混入を避けるために袋本体２の上端開口部を折り曲げたときに折り込まれない位置である（図７参照）。
【００３３】
破断用つまみ５は、約３０ｍｍ×約６０ｍｍの矩形状に形成されている。但し、破断用つまみ５の形状は、矩形状に限定されるものではなく、例えば、五角形などの多角形、円形、楕円形等、いかなる形状であってもよい。また、破断用つまみ５の大きさは、指でつまみやすい大きさであればよい。
【００３４】
破断用つまみ５の材料としては、袋本体２の材料と同様の、ポリプロピレン、高密度ポリエチレン等のポリオレフィン系材料、あるいは、ポリエステル系材料等を用いることができる。そして、破断用つまみ５の材料として袋本体２の材料と同じ材料を用いる場合には、破断用つまみ５の厚みを袋本体２の厚みよりも厚くすることが好ましい。破断用つまみ５の厚みを袋本体２の厚みよりも厚くすることにより、僅かな力でも袋本体２に負けることなく当該袋本体２を容易に引き裂くことができる。本実施の形態においては、破断用つまみ５の材料として袋本体２の材料と同じプラスチック材料が用いられており、破断用つまみ５の厚みは、袋本体２の厚みよりも厚めの約１００μｍに設定されている。尚、破断用つまみ５として、袋本体２の材質よりも強度の大きい材質のものを用いる場合には、必ずしも破断用つまみ５の厚みを袋本体２の厚みよりも厚くする必要はない。
【００３５】
図１、図６に示すように、破断用つまみ５は、袋本体２上の、フィルタ４とは異なる位置に配置された後、袋本体２に溶着される。図１において、参照符号９は、溶着部を示している。尚、破断用つまみ５を配置する位置は、特に限定されるものではないが、好ましくは、雑菌の混入を避けるために袋本体２の上端開口部を折り曲げたときに折り込まれない位置である（図７参照）。本実施の形態において、破断用つまみ５は、フィルタ４が溶着されている位置（通気孔３が形成されている位置）の直上の位置に配置されている。
【００３６】
上記のように、本実施の形態の菌床栽培用袋１の構成において、袋本体２は、縦方向の引張強度が横方向の引張強度よりも大きい分子配向となるように形成されたプラスチックフィルムからなっている。すなわち、袋本体２は、引き裂く「切っ掛け」さえ与えれば縦方向に容易に引き裂くことが可能な分子構造を有している。このため、フィルタ４が溶着された袋本体２上の位置とは異なる位置で袋本体２に溶着された、袋本体２を破断し引き裂くための破断用つまみ５を備えた、本実施の形態の菌床栽培用袋１の構成によれば、破断用つまみ５をつまんで袋本体２の縦方向に引き剥がす操作を行うことにより、フィルタ４が溶着された位置とは異なる位置で袋本体２を破断し、この破断を「切っ掛け」として袋本体２を容易に引き裂くことができる。すなわち、本実施の形態の菌床栽培用袋１の構成によれば、フィルタ４の厚みのバラツキや材質等に左右されることなく、袋本体２を確実に引き裂くことが可能な菌床栽培用袋を提供することができる。従って、本実施の形態の菌床栽培用袋１を用いれば、培養工程からキノコ（子実体）の発生工程に移る際に必要な袋本体２からの菌床１０の取り出し作業を、より効率的に行うことが可能となる。尚、引き裂く「切っ掛け」は一度与えれば十分であるため、引き裂く方向に沿って複数の破断用つまみを設けたり、引裂く方向に沿ったテープ状のものを複数の溶着部によって袋本体に溶着したりする必要はない。そして、このように、本実施の形態の菌床栽培用袋１は、例えば、矩形状のプラスチックフィルムからなる単一の破断用つまみ５を袋本体２に溶着するだけの簡単な構成であるため、それほどのコストアップを招くことはない。
【００３７】
破断用つまみ５を袋本体２に溶着する溶着部９は、引裂き開始側（図１においては、袋本体２の上端開口部側）を上とする山型（∧）に形成されている。より具体的には、溶着部９は、２本の直線溶着部の組合せからなる頂角が略９０°（略直角）の山型溶着部からなっており、破断用つまみ５の溶着部９以外の部分は、袋本体２から離反した状態となっている。破断用つまみ５部分を以上のように構成したので、破断用つまみ５の上側端部を指でつまんで袋本体２の下端部に向けて引き剥がす操作を行うことにより、破断用つまみ５を袋本体２に溶着する山型溶着部９の頂角部分（応力集中部）に引き剥がし応力を集中させて、袋本体２を引き裂く「切っ掛け」となる切込みを入れることができる。そして、このようにして袋本体２に切込みが入った後、破断用つまみ５を袋本体２の下端部に向けてそのまま引っ張れば（破断用つまみ５を袋本体２の引張強度が大きい縦方向に沿って引き剥がすように力をかければ）、袋本体２を容易に引き裂くことができる。
【００３８】
［菌床栽培用袋の使用方法］
次に、本発明の一実施の形態における菌床栽培用袋の使用方法について、図８をも参照しながら説明する。
【００３９】
図８は、本発明の一実施の形態における菌床栽培用袋の袋本体を引き裂いている状態を示す正面図である。
【００４０】
キノコを人工栽培するに際しては、図７に示すように、まず、オガクズ等の木質基材に米糠等の栄養源を混ぜて水分を調整した人工の培地（菌床１０）を、菌床栽培用袋１の袋本体２に充填して、約１２０℃の高圧蒸気で約２時間殺菌する。次に、殺菌した菌床１０にキノコ種菌を接種し、袋本体２の上端開口部を何重かに折り曲げてホッチキスの針１１で留める。そして、キノコ種菌が接種された菌床１０を、菌床栽培用袋１の袋本体２に充填したまま、温度約２４℃、湿度約６０％の培養室で３０〜９０日間保管する（培養工程）。
【００４１】
菌糸が菌床１０にほぼ蔓延したら（培養工程が終了したら）、菌床１０を菌床栽培用袋１の袋本体２から取り出し、温度約１８℃、湿度約９０％の環境下でキノコ（子実体）を発生させる（キノコ（子実体）の発生工程）。
【００４２】
菌床１０を菌床栽培用袋１の袋本体２から取り出すに際しては、袋本体２を引き裂く必要がある。本実施の形態においては、図７に示す袋本体２の上端（折り曲げ部分）を片方の手で掴みながら、破断用つまみ５の上側端部をもう一方の手の指でつまんで、当該破断用つまみ５を袋本体２の下端部に向けて引っ張る。これにより、破断用つまみ５を袋本体２に溶着する山型溶着部９に引き剥がし力がかかる。このため、山型溶着部９の頂角部分に引き剥がし応力が集中して、フィルタ４が溶着された位置とは異なる位置で袋本体２に切込みが入る。そして、このようにしてフィルタ４が溶着された位置とは異なる位置で袋本体２に切込みが入った後、破断用つまみ５を袋本体２の下端部に向けてそのまま引っ張れば（破断用つまみ５を袋本体２の引張強度が大きい方向（縦方向）に沿って引き剥がすように力をかければ）、図８に示すように、フィルタ４の厚みのバラツキや材質等に左右されることなく、袋本体２を確実に引き裂くことができる。この場合、袋本体２は、山型溶着部９の下端間距離とほぼ同じ幅を有する部分（二点鎖線部分）のみが他の部分から引き剥がされる。尚、図８において、参照符号１２は、引き剥がされた部分を示している。
【００４３】
尚、上記実施の形態においては、山型溶着部９の頂角部分が尖っている場合を例に挙げて説明したが、本発明は必ずしもこのような構成に限定されるものではない。山型溶着部９の頂角部分は、例えば、図９に示すように、多少平坦になっていてもよい。僅かな力で袋本体２に切込みを入れることを可能とするためには、山型溶着部９の頂角部分の平坦部分の長さは、３ｍｍ以下であることが好ましい。
【００４４】
また、上記実施の形態においては、２本の直線溶着部の組合せからなる山型溶着部９を例に挙げて説明したが、本発明は必ずしもこのような構成に限定されるものではない。例えば、図９に示すように、山型溶着部９を構成する２本の直線溶着部９ａ、９ｂを、袋本体２の下端部と平行な補強用の直線溶着部１３によって繋ぐようにしてもよい。そして、このように、山型溶着部９を構成する２本の直線溶着部９ａ、９ｂを、補強用の直線溶着部１３によって繋ぐことにより、山型溶着部９のうち、補強用の直線溶着部１３よりも上方に位置する部分のみに、破断用つまみ５を袋本体２の下端部に向けて引っ張って引き剥がそうとする際の引き剥がし力がかかるようにすることができる。このため、山型溶着部９の頂角部分に集中する引き剥がし応力を大きくして、僅かな力で袋本体２に切込みを入れることが可能となる。
【００４５】
また、上記実施の形態においては、頂角が略９０°（略直角）の山型溶着部９を例に挙げて説明したが、本発明は必ずしもこのような構成に限定されるものではない。山型溶着部９の頂角は、鋭角であっても直角であっても鈍角であってもよい。特に図１０に示すような頂角が鋭角の山型溶着部１４を採用すれば、僅かな力で袋本体２に切込みを入れることが可能となる。
【００４６】
また、上記実施の形態においては、図面上分かりやすいように、フィルタ４と破断用つまみ５とが離間している場合を例に挙げて説明したが、本発明は必ずしもこのような構成に限定されるものではない。破断用つまみ５が、フィルタ４が溶着された袋本体２上の位置とは異なる位置で袋本体２に溶着されてさえいれば、例えば、図１１に示すように、フィルタ４の上縁が破断用つまみ５の下縁に重なっていてもよい。
【００４７】
また、上記実施の形態においては、破断用つまみ５を袋本体２に溶着する溶着部９が、引裂き開始側（図１においては、袋本体２の上端開口部側）を上とする山型（∧）に形成されている場合を例に挙げて説明したが、本発明は必ずしもこのような構成に限定されるものではない。例えば、図１２に示す菌床栽培用袋１５の場合のように、破断用つまみ５を袋本体２に溶着する溶着部１６は、袋本体２の下端部側を下とする谷型（∨）に形成されていてもよい。この場合、引き剥がし応力は、谷型溶着部１６の２つの上端部に集中することになる。すなわち、谷型溶着部１６の２つの上端部が応力集中部となる。尚、谷型溶着部１６の場合にあっても、頂角部分が多少平坦になっていてもよく、谷型溶着部１６を構成する２本の直線溶着部を、袋本体２の下端部と平行な補強用の直線溶着部によって繋ぐようにしてもよい。
【００４８】
また、上記実施の形態においては、破断用つまみ５が、フィルタ４が溶着されている位置（通気孔３が形成されている位置）の直上の位置に配置されている場合を例に挙げて説明したが、本発明は必ずしもこのような構成に限定されるものではない。例えば、図１３に示す菌床栽培用袋１７の場合のように、破断用つまみ５は、袋本体２の正面（フィルタ４が溶着されている面）又は背面の下部に配置するようにしてもよい。この場合、破断用つまみ５を袋本体２に溶着する溶着部１８は、引裂き開始側（図１３においては、袋本体２の下端部側）を上とする山型（∧）に形成されている。そして、この場合、破断用つまみ５の下側端部を指でつまんで袋本体２の上端部に向けて引き剥がす操作を行うことにより、山型溶着部１８の頂角部分（応力集中部）に引き剥がし応力を集中させて、袋本体２を引き裂く「切っ掛け」となる切込みを入れることができる。そして、このようにして袋本体２に切込みが入った後、破断用つまみ５を袋本体２の上端部に向けてそのまま引っ張れば（破断用つまみ５を袋本体２の引張強度が大きい縦方向に沿って引き剥がすように力をかければ）、袋本体２を容易に引き裂くことができる。また、図１４に示す菌床栽培用袋１９の場合のように、破断用つまみ５は、袋本体２の側面の上部（あるいは、下部）に配置するようにしてもよい。破断用つまみ５を袋本体２の側面の上部に配置する場合、破断用つまみ５を袋本体２に溶着する溶着部９は、引裂き開始側（袋本体２の上端部側を上とする山型（∧）に形成することが好ましい。また、破断用つまみ５を袋本体２の側面の下部に配置する場合、破断用つまみ５を袋本体２に溶着する溶着部は、引裂き開始側（袋本体２の下端部側）を上とする山型（∧）に形成ことが好ましい。
【００４９】
また、上記実施の形態においては、破断用つまみ５を袋本体２に溶着する溶着部が、１つの山型（∧）溶着部あるいは谷型（∨）溶着部からなる場合を例に挙げて説明したが、本発明は必ずしもこのような構成に限定されるものではない。例えば、２つ以上の山型（∧）溶着部あるいは谷型（∨）溶着部を連続させたものであってもよい。
【００５０】
また、上記実施の形態においては、破断用つまみ５を袋本体２に溶着する溶着部が、山型（∧）あるいは谷型（∨）に形成されている場合を例に挙げて説明したが、本発明は必ずしもこのような構成に限定されるものではない。破断用つまみ５を袋本体２に溶着する溶着部は、引き剥がし応力を集中させるための角部を有していれば、いかなる形状であってもよい。
【産業上の利用可能性】
【００５１】
本発明によれば、フィルタの厚みのバラツキや材質等に左右されることなく、袋本体を確実に引き裂くことが可能な菌床栽培用袋を提供することができる。従って、本発明の菌床栽培用袋は、培養工程からキノコ（子実体）の発生工程に移る際に必要な袋本体からの菌床の取り出し作業のさらなる効率化を図る上で有用である。
【符号の説明】
【００５２】
１、１５、１７、１９  菌床栽培用袋
２  袋本体
３  通気孔
４  フィルタ
５  破断用つまみ
６  薄肉チューブ
７  シール部
８  溶着部
９、１４、１８  山型溶着部
９ａ、９ｂ、１３  直線溶着部
１０  菌床
１１  ホッチキスの針
１２  引き剥がされた部分
１６  谷型溶着部
【図１】
2015008690.tif 000003
【図２】
2015008690.tif 000004
【図３】
2015008690.tif 000005
【図４】
2015008690.tif 000006
【図５】
2015008690.tif 000007
【図６】
2015008690.tif 000008
【図７】
2015008690.tif 000009
【図８】
2015008690.tif 000010
【図９】
2015008690.tif 000011
【図１０】
2015008690.tif 000012
【図１１】
2015008690.tif 000013
【図１２】
2015008690.tif 000014
【図１３】
2015008690.tif 000015
【図１４】
2015008690.tif 000016
【図１５】
2015008690.tif 000017
【図１６】
2015008690.tif 000018